(57)【要約】      （修正有）【課題】旋回体にサイドウォークが備えられていないものにあっても、この旋回体の上面部に対して容易に昇降することができる作業機械の提供。【解決手段】前部に運転室を有し、後部にカウンタウエイトを有し、運転室とカウンタウエイトとの間に建屋カバーで画成されたエンジン室を有する旋回体２と、建屋カバーを形成する側面カバー７ａによって被覆可能に設けられ、旋回体２の上面部に昇るための昇降装置を備えた油圧ショベルにおいて、上述の昇降装置が、旋回体２側の所定位置に、例えば建屋カバーの側面カバー７ａの内側位置に固定される第１梯子１１ａ、及びこの第１梯子１１ａに連設され、下方に展伸可能な第２梯子１１ｂを含み、建屋カバーの側面カバー７ａによって被覆されるように収縮可能な複数段梯子、例えば２段梯子１１から成る構成にしてある。【選択図】図６
2007197966.tif 000002
【特許請求の範囲】
【請求項１】
前部に運転室を有し、後部にカウンタウエイトを有し、上記運転室と上記カウンタウエイトとの間に建屋カバーで画成されたエンジン室を有する旋回体と、上記建屋カバーを形成する側面カバーによって被覆可能に設けられ、上記旋回体の上面部に昇るための昇降装置を備えた作業機械において、
上記昇降装置が、
上記旋回体側の所定位置に固定される第１梯子、及びこの第１梯子に連設され、下方に展伸可能な第２梯子を含み、上記建屋カバーの上記側面カバーによって被覆されるように収縮可能な複数段梯子から成ることを特徴とする作業機械。
【請求項２】
上記請求項１記載の発明において、
上記複数段梯子を上記建屋カバーを形成する側面カバーの内側に設けたことを特徴とする作業機械。
【請求項３】
上記請求項２項記載の発明において、
上記側面カバーの内側に上記第１梯子を挟むように配置される一対の補強枠を設け、上記第１梯子を、この第１梯子の左右のそれぞれの２箇所以上において固定したことを特徴とする作業機械。
【請求項４】
上記請求項１〜３のいずれか１項記載の発明において、
上記第２梯子を上記第１梯子に対して上下方向にスライド可能に設けたことを特徴とする作業機械。
【請求項５】
上記請求項１項記載の発明において、
上記旋回体の下方に走行体を備えるとともに、この走行体の走行フレームに、上記複数段梯子の位置に関連させて、作業者が足を掛けることのできるステップを備えたことを特徴とする作業機械。
【発明の詳細な説明】
【技術分野】
【０００１】
本発明は、旋回体を有する油圧ショベル、クレーン等の作業機械に係り、特に建屋カバーを形成する側面カバーによって被覆可能に設けられ、旋回体の上面部に昇るための昇降装置を備えた作業機械に関する。
【背景技術】
【０００２】
この種の従来技術として、特許文献１に示されるものがある。この特許文献１には、建屋カバーを形成する側面部カバーの内側に昇降装置、すなわちステップを備え、旋回体の上面部における作業に際しては側面部カバーを旋回体の側面に対して直角に開いた状態に係止し、作業者は側面部カバーの内側に設けられているステップに足を掛けて上面部まで昇るようになっている。上面部における作業が行われないときには、側面部カバーは旋回体の側面に対向するように閉じた状態に保たれる。
【０００３】
このように構成される従来技術は、旋回体の上面部における保守・点検作業が実施されないときには、側面部カバーによって旋回体の上面部に昇るためのステップが被覆されることから外観の美観を確保することができる。また、旋回体の上面部における保守・点検作業が実施されるときには、側面部カバーの内側に設けたステップを介して作業者は旋回体の上面部まで昇り、所望の保守・点検作業を実施することができる。
【特許文献１】特開２００３−２１３７２５公報
【発明の開示】
【発明が解決しようとする課題】
【０００４】
上述した従来技術は、大型の油圧ショベルであるために、旋回体にオペレータや作業者が歩くことのできるサイドウォークが備えられており、旋回体の上面部に昇るときには、このサイドウォーク上から開かれた状態にある側面カバーに設けられているステップに足を掛けて昇ることができる。しかし、上述のようなサイドウォークが設けられていない作業機械、例えば中型あるいは小型の油圧ショベル等では、上述した従来技術を採用した場合、地面から側面カバーの内側のステップまでの距離が大きくなり、したがって、機器の保守・点検作業のために旋回体の上面部に昇る動作が困難になりやすい。このために、旋回体の上面部における機器の保守・点検作業の作業性が悪くなる懸念がある。
【０００５】
本発明は、上述した従来技術における実状からなされたもので、その目的は、旋回体にサイドウォークが備えられていないものにあっても、この旋回体の上面部に対して容易に昇降することができる作業機械を提供することにある。
【課題を解決するための手段】
【０００６】
この目的を達成するために、本発明は前部に運転室を有し、後部にカウンタウエイトを有し、上記運転室と上記カウンタウエイトとの間に建屋カバーで画成されたエンジン室を有する旋回体と、上記建屋カバーを形成する側面カバーによって被覆可能に設けられ、上記旋回体の上面部に昇るための昇降装置を備えた作業機械において、上記昇降装置が、上記旋回体側の所定位置に固定される第１梯子、及びこの第１梯子に連設され、下方に展伸可能な第２梯子を含み、上記建屋カバーの上記側面カバーによって被覆されるように収縮可能な複数段梯子から成ることを特徴としている。
【０００７】
このように構成した本発明は、旋回体の上面部に対する昇降に際しては、複数段梯子の第１梯子に連設される第２梯子等を展伸させることにより、地面と複数段梯子との距離が小さくなる。したがって、作業者は地面から複数段梯子の第２梯子等に乗り、さらに固定保持されている第１梯子に昇り、この第１梯子から旋回体の上面部に乗り移ることができる。旋回体の上面部から降りるときも同様であり、旋回体の上面部から複数段梯子の第１梯子に降り、さらに第２梯子等を介して地面に降りることができる。すなわち、旋回体にサイドウォークが備えられていないものにあっても、この旋回体の上面部に対して容易に昇降することができる。
【０００８】
また、複数段梯子を使用しない場合には、第２梯子等を収縮させるように格納し、この複数段梯子を側面カバーによって被覆することができる。
【０００９】
また本発明は、上記発明において、上記複数段梯子を上記建屋カバーを形成する側面カバーの内側に設けたことを特徴としている。
【００１０】
このように構成した本発明は、旋回体の側面側からエンジン室内の機器の保守・点検作業を行いたい場合、建屋カバーの側面カバーを開くことにより、複数段梯子が側面カバーと一体に旋回体の側面から離れるので、複数段梯子がその保守・点検作業の邪魔になることがない。
【００１１】
また本発明は、上記発明において、上記側面カバーの内側に上記第１梯子を挟むように配置される一対の補強枠を設け、上記第１梯子を、この第１梯子の左右のそれぞれの２箇所以上において固定したことを特徴としている。
【００１２】
このように構成した本発明は、複数段梯子に作業者が乗った際に、作業者による荷重が合計４箇所以上の固定箇所に個別に分散されるので、一対の補強枠の固定箇所のそれぞれに個別に加えられる集中荷重を小さくすることができる。したがって、補強枠の強度を比較的小さめに設定することが可能となる。
【００１３】
また本発明は、上記発明において、上記第２梯子を上記第１梯子に対して上下方向にスライド可能に設けたことを特徴としている。
【００１４】
このように構成した本発明は、旋回体の上面部における機器の保守・点検時には、第２梯子等を下方にスライドさせて展伸させればよく、上述の作業を実施しないときには、第２梯子等を建屋カバーの側面カバーによって被覆される位置まで上方にスライドさせて収縮させればよい。
【００１５】
また本発明は、上記発明において、上記旋回体の下方に走行体を備えるとともに、この走行体の走行フレームに、上記複数段梯子の位置に関連させて、作業者が足を掛けることのできるステップを備えたことを特徴としている。
【００１６】
このように構成した本発明は、旋回体の上面部における機器の保守・点検作業時には、地面から走行フレームのステップに足を掛けた後に複数段梯子に乗り込むことができ、また、複数段梯子から走行フレームのステップに足を掛けた後に地面に降りることができる。
【発明の効果】
【００１７】
本発明は、旋回体の上面部に昇るための昇降装置が、旋回体側の所定位置に固定される第１梯子、及びこの第１梯子に連設され、下方に展伸可能な第２梯子を含み、建屋カバーの側面カバーによって被覆されるように収縮可能な複数段梯子から成る構成にしてあることから、旋回体にサイドウォークが備えられていないものにあっても、この旋回体の上面部に対して容易に昇降することができ、旋回体の上面部における保守・点検作業の優れた作業性を確保することができる。
【発明を実施するための最良の形態】
【００１８】
以下，本発明に係る作業機械を実施するための最良の形態を図に基づいて説明する。
【００１９】
図１は本発明の作業機械の一実施形態を示す側面図、図２は図１の要部を拡大して示した図、図３は図２に示す建屋カバーを形成する側面カバーを開いた状態を示す図、図４は図３のＡ方向から見た図、図５は図３のＢ方向から見た図である。
【００２０】
図１に示すように、本実施形態に係る建設機械は、例えば中型あるいは小型の油圧ショベルであり、走行体１と、この走行体１上に配置される旋回体２と、この旋回体２に上下方向の回動可能に装着されるフロント作業機３とを備えている。
【００２１】
走行体１は、走行フレーム１ａと、トラックリンク１ｂと、走行フレーム１ａに設けられ作業者が足を掛けることのできるステップ１ｃとを備えている。
【００２２】
旋回体２は、旋回フレーム４の前部に運転室５を有し、後部に重量バランスを確保するカウンタウエイト６を有し、運転室５とカウンタウエイト６との間に建屋カバー７で画成されたエンジン室を有する。
【００２３】
図２に示すように、本実施形態は、建屋カバー７を形成する側面カバー７ａによって被覆可能に設けられ、旋回体２の上面部に昇るための昇降装置として複数段梯子、例えば図３〜図５に示すように旋回体２側の所定位置に、すなわち建屋カバー７を形成する側面カバー７ａの内側位置に固定される第１梯子１１ａと、この第１梯子１１ａに対して例えば上下方向にスライド可能に設けた第２梯子１１ｂとを含む２段梯子１１を備えている。
【００２４】
建屋カバー７の側面カバー７ａの内側には、図３に示すように第１梯子１１ａを挟むように配置される一対の補強枠１２を固定してあり、第１梯子１１ａを、この第１梯子１１ａの左右のそれぞれの２箇所以上において、例えば左右のそれぞれに２個設けられるブラケット１３を介して補強枠１２のそれぞれに固定してある。
【００２５】
補強枠１２の一方は、一対の蝶番１５を介して建屋フレーム１４に連結してある。すなわち、建屋カバー７の側面カバー７ａは、蝶番１５を介して水平方向に回動可能に保持されている。建屋カバー７の側面カバー７ａの一方の端部７ａ１は、側面カバー７ａが閉じられた際に、図４に示す他の建屋フレーム１４ａに係止保持されるようになっている。
【００２６】
また、旋回体２の上面部に手摺り１６を備えるとともに、図３，４に示すように、側面カバー７ａを開いた状態に係止する留め具１７を備えている。
【００２７】
なお、上述した走行フレーム１ａのステップ１ｃは、開いた状態に係止保持された側面カバー７ａの２段梯子１１の位置に関連させて設けてある。
【００２８】
図６は旋回体の上面部に対する昇降時の状態を示す図である。
【００２９】
旋回体２の上面部において機器の保守・点検を行うに際しては、図３に示すように側面カバー７ａが開かれ、止め具１７によって側面カバー７ａを係止保持した状態において、２段梯子１１の第２梯子１１ｂを下方にスライドさせて展伸させることが行われる。展伸させた第２梯子１１ｂは図示しない係止手段によって第１梯子１１の下端部に係止される。これにより、保守・点検の作業者は、地面から走行体１の走行フレーム１ａのステップ１ｃに足を掛け、さらに例えば走行体１の上側に位置するトラックリンク１ｂに乗り、２段梯子１１の第２梯子１１ｂに乗り、第１梯子１１ａに乗り移り、例えば手摺り１６を把持して旋回体２の上面部に乗り移ることができる。これにより、作業者は旋回体２の建屋カバー７の上面部分を開き、エンジン室内の機器の保守・点検作業を行うことができる。
【００３０】
保守・点検作業を終了した作業者は、旋回体２の上面部から例えば手摺り１６を把持して２段梯子１１の第１梯子１１ａに降り、さらに第２梯子１１ｂに降り、例えば走行体２の上側に位置するトラックリンク１ｂに降り、走行フレーム１ａのステップ１ｃに足を掛けて地面に降りることができる。
【００３１】
上述のような旋回体２の上面部における保守・点検作業が行われない掘削作業時等にあっては、第１梯子１１ａに第２梯子１１ｂを係止させていた係止手段による係止が解かれ、この第２梯子１１ｂが上方にスライドされて第１梯子１１ａに対向する位置まで収縮され、格納される。また、止め具１７による側面カバー７ａの係止が解かれ、図１に示すように、側面カバー７ａが閉じられた状態に保持される。これによって２段梯子１１は側面カバー７ａによって被覆される。
【００３２】
このように構成した本実施形態によれば、旋回体２の上面部に対する昇降に際しては、上述のように２段梯子１１の第１梯子１１ａに連設される第２梯子１１ｂを展伸させることにより、地面と２段梯子１１との距離が小さくなる。したがって、作業者は地面から２段梯子１１の第２梯子１１ｂに乗り、さらに固定保持されている第１梯子１１ａに昇り、この第１梯子１１ａから旋回体２の上面部に乗り移ることができる。旋回体２の上面部から降りるときも同様であり、旋回体２の上面部から２段梯子１１の第１梯子１１ａに降りることができる。すなわち、旋回体２にサイドウォークが備えられていない中型あるいは小型の油圧ショベルにあっても、この旋回体２の上面部に対して容易に昇降することができ、旋回体２の上面部における保守・点検作業の優れた作業性を確保できる。
【００３３】
また、２段梯子１１を使用しない場合には、第２梯子１１ｂを収縮させて格納し、この２段梯子１１を側面カバー７ａによって被覆することができ、外観の美観を確保することができる。
【００３４】
また、２段梯子１１を建屋カバー７を形成する側面カバー７ａの内側に設けたことから、旋回体２の側面側からエンジン室内の機器の保守・点検作業を行いたい場合、建屋カバー７の側面カバー７ａを開くことにより、２段梯子１１が側面カバー７ａと一体に旋回体２の側面から離れるので、２段梯子１１が保守・点検作業の邪魔にならず、この旋回体２の側面側からの保守・点検作業についても優れた作業性を確保できる。
【００３５】
また、２段梯子１１のうちの第１梯子１１ａを、この第１梯子１１ａの左右のそれぞれにおいて、例えば２個のブラケット１３を介して補強枠１２のそれぞれに固定したことから、２段梯子１１に作業者が乗った際に、作業者による荷重が合計４個のブラケット１３の部分に個別に分散されるので、一対の補強枠１２のブラケット１３の固定部分のそれぞれに個別に加えられる集中荷重を小さくすることができる。したがって、補強枠１２の強度を比較的小さめに設定することが可能になり、補強枠１２の製作費を安くすることができる。
【００３６】
また、２段梯子１１の第２梯子１１ｂを第１梯子１１ａに対して上下方向にスライド可能に設けたことから、第２梯子１１ｂを下方にスライドさせて展伸させることにより、容易に作業者が２段梯子１１に昇れる状態にすることができ、また、第２梯子１１ｂを上方向にスライドさせることにより、この第２梯子１１ｂを建屋カバー７を形成する側面カバー７ａの内側に容易に格納できる。これらは旋回体２の上面部に対する保守・点検作業の作業性の向上に貢献する。
【００３７】
また、走行体１の走行フレーム１ａに、２段梯子１１の位置に関連させて、作業者の足を掛けることのできるステップ１ｃを備えた構成にしてあることから、旋回体２の上面部における機器の保守・点検作業時には、地面から走行フレーム１ａのステップ１ｃに足を掛けた後に２段梯子１１に乗り込むことができ、また逆に、２段梯子１１から走行フレーム１ａのステップ１ｃに足を掛けた後に降りることができる。これらも旋回体２の上面部に対する保守・点検作業の作業性の向上に貢献する。
【００３８】
なお、上記実施形態にあっては、昇降装置を形成する複数段梯子として２段梯子１１を設けたが、本発明は、２段梯子１１を設けることには限られず、固定保持される第１梯子１１ａと、この第１梯子１１ａに対して上下方向にスライド可能な複数段の梯子とを含む構成にしてもよい。
【００３９】
また、上記では、複数段梯子として上下方向にスライド可能な２段梯子１１を備えた構成にしてあるが、本発明は、複数段梯子をこのようなスライド可能な構成にすることには限られず、上下方向に展伸あるいは、収縮するように折り曲げ可能な構成にしてもよい。
【００４０】
また、上記では、２段梯子１１すなわち複数段梯子を建屋カバー７の側面カバー７ａの内側に設けた構成にしてあるが、本発明は、このように構成することには限られない。複数段梯子を建屋カバー７を形成する側面カバー７ａに設けずに、旋回体２の側面に対向可能なように、建屋カバー７を保持する建屋フレームに取り付ける構成にしてもよい。
【００４１】
また、上記では、２段梯子１１の第１梯子１１ａを一対の補強枠１２に、片側２個ずつのブラケット１３、合計４個のブラケット１３で固定した構成にしてあるが、本発明は、このように構成することには限られない。第１梯子１１ａの片側に対して３個以上のブラケット１３、合計６個以上のブラケット１３を設けた構成にしてもよい。
【図面の簡単な説明】
【００４２】
【図１】本発明の作業機械の一実施形態を示す側面図である。
【図２】図１の要部を拡大して示した図である。
【図３】図２に示す建屋カバーを形成する側面カバーを開いた状態を示す図である。
【図４】図３のＡ方向から見た図である。
【図５】図３のＢ方向から見た図である。
【図６】旋回体の上面部に対する昇降時の状態を示す図である。
【符号の説明】
【００４３】
１    走行体
１ａ  走行フレーム
１ｂ  トラックリンク
１ｃ  ステップ
２    旋回体
５    運転室
６    カウンタウエイト
７    建屋カバー
７ａ  側面カバー
７ａ１  端部
１１    ２段梯子（複数段梯子）
１１ａ  第１梯子
１１ｂ  第２梯子
１２    補強枠
１３    ブラケット
１４    建屋フレーム
１４ａ  建屋フレーム
１５    蝶番
１６    手摺り
１７    止め具
【図１】
2007197966.tif 000003
【図２】
2007197966.tif 000004
【図３】
2007197966.tif 000005
【図４】
2007197966.tif 000006
【図５】
2007197966.tif 000007
【図６】
2007197966.tif 000008